(57)【特許請求の範囲】
【請求項１】
固定片の両側端に係止片を連設して取付け金具を形成し、固定片の背面を係止片よりも背方に突出させ、棚の背面部に下方に開口する取付け溝部を設け、取付け溝部の背壁部の略中央部に下端部から上方に向けて切欠部を形成し、取付け金具の固定片の背面を壁面のような取付け面に当接して固着し、棚の取付け溝部の両側端に係止片を挿入係止し、固定片を切欠部に位置させて成る棚の取付構造。
【請求項２】
切欠部の巾を固定片の巾と略同等の長さとして成ることを特徴とする請求項１に記載の棚の取付構造。
【請求項３】
棚の背面部の下端部に背方突部を背方に向けて突設し、取付け溝部の下端と背方突部との問に隙間を形成し、上記隙間を取付け金具が背面から挿入し得る大きさに形成したことを特徴とする請求項１に記載の棚の取付構造。
【発明の詳細な説明】
【０００１】
【発明の属する技術分野】
本発明は、棚を壁面等に取付けるための構造に関するもので、詳しくは棚の背面を壁等に取付ける棚の取付構造に関するものである。
【０００２】
【従来の技術】
棚の背面を壁面等に取付るための構造は、従来、図４乃至５及び６乃至７に示すようなものがあった。図４乃至５に示すものは、棚４の背面部４ａに下方及び背方に開口する断面Ｔ字形状の取付け溝部５'を複数条設けるものである。取付具としてねじ１１を使用し、上記取付け溝部５'の位置に合わせて壁面に固着する。この場合ねじ１１を完全に打込むことなく、ねじ１１の頭部１１ａと壁面との間に隙間１２'を形成するものである。そして、棚４の取付け溝部５'の背壁部５ａ'を壁面とねじ１１の頭部１１ａとの間の隙間１２'に位置させ、取付け溝部５'の開口にねじ１１を挿入させ、下方向へ棚４をスライドさせ、取付け溝部５'の最深部で引っ掛け係止して棚４を壁面に取付けるものである。ここで、上記取付け溝部５'の下方の開口５ｂ'にはねじ１１の頭部１１ａが挿入されるものであり、背方の開口５ｃ'にはねじ１１の軸部１１ｂが挿入されるものである。また、ここで、背方の開口５ｃ'はねじ１１の頭部１１ａよりも小さいものでねじ１１の頭部１１ａが前後方向に抜けないものである。
【０００３】
また、図６乃至７に示すものは、固定片２'の上端部から前方に段部９'を連出すると共に段部９'の前端から上方に係止片３'を突設して取付け金具１'を形成し、棚４の背面部４ａに下方に開口する取付け溝部５''を設け、取付け金具１'の固定片２'を壁面に固着し、壁面と取付け金具１'の係止片３'との間の隙間１２''に取付け溝部５''の背壁部５ａ''を挿入し、係止片３'を取付け溝部５''の開口から上方向に挿入し、棚４を取付け金具１'を介して壁面に取付けるものである。
【０００４】
【発明が解決しようとする課題】
しかしながら、上記の従来例の棚の取付構造は、共通して、棚４を下側から見ると取付け溝部が露出するもので見栄えが悪いものであり、また、上方へ突き上げるような衝撃力が棚４に働いた場合では、取付け溝部が下方に開口を設けたものであるので、その衝撃力を受けた棚４が上方に抜けてしまうといった問題を抱えるものであった。また、前者の従来例では、取付具としてのねじ１１を壁面に固着する現場施工の際に、棚４の取付け溝部５'の位置と対応した位置に固着をしなければならないので、位置決め精度が求められ、施工性に難があるものであった。また、後者の従来例では、固定片２'の上部に係止片３'が位置するものであるので、取付け金具１'の上下方向の長さが長いものになり、それに伴い棚４の上下方向への長さも長いものにならざるを得ないものであった。つまり、棚４の上下方向の長さを短く設定すると、取付け金具１'が露出してしまうものであり、外観が損なわれてしまうものであった。
【０００５】
本発明は上記の点に鑑みてなされたものであり、上下方向の長さが短い棚でも壁等に取付けることができ、下側から見える外観も良好に保つことができる棚の取付構造を提供することを課題とするものである。
【０００６】
【課題を解決するための手段】
上記課題を解決するために本発明の請求項１に係る棚の取付構造は、固定片２の両側端に係止片３を連設して取付け金具１を形成し、固定片２の背面２ａを係止部３よりも背方に突出させ、棚４の背面部４ａに下方に開口する取付け溝部５を設け、取付け溝部５の背壁部５ａの賂中央部に下端部から上方に向けて切欠部６を形成し、取付け金具１の固定片２の背面２ａを壁面のような取付け面に当接して固着し、棚４の取付け溝部５の両側端に係止片３を挿入係止し、固定片２を切欠部６に位置させたことを特徴とするものである。これにより、取付け金具１は固定片２と係止部３とが同じ高さに位置することから、図６の従来例に比べて取付け金具１の上下方向の長さを短く設定できるものであり、また、棚４も固定片２を切欠部６に位置させ壁面に固着する位置と同じ高さ位置で取付け金具１と係止することから、取付け金具１の上下方向の長さに合わせて棚４の上下方向の長さを短く設定することが可能となるものである。また、両側に係止片３を有する取付け金具１を壁面に固着するに当たって、中央部の固定片２を壁面に固着するだけで、両側の係止片３が壁面と隙間１２を形成するように正しい位置関係で壁面に取付けることができるものである。
【０００７】
また、本発明の請求項２に係る棚の取付構造は、請求項１において、切欠部６の巾と固定片２の巾が略同等の長さとして成ることを特徴とする。これにより、取付け金具１の固定片２が棚４の切欠部６に略嵌合した状態になり、取付け金具１に棚４をガタつくことなく係止させることができるものである。
【０００８】
また、本発明の請求項３に係る棚の取付構造は、請求項１において、棚４の背面部４ａの下端部に背方突部７を背方に向けて突設し、取付け溝部５の下端と背方突部７との問に隙間８を形成し、上記隙間８を取付け金具１が背面から挿入し得る大きさに形成したことを特徴とする。これにより、棚４の背面部４ａの下端部に設けた背方突部７が取付け溝部５の下方への開口を塞ぐように位置していることより、下側から棚４を見ても取付け溝部５及び取付け金具１が見えないものである。また、棚４に上方への衝撃力が働き、棚４が上方に突き上げられても、背方突部７が取付け金具１に当たって引っ掛かり、棚４が抜け落ちることを防止するものである。
【０００９】
【発明の実施の形態】
以下、本発明を添付図面に示す実施形態に基づいて説明する。
【００１０】
図１乃至３に本発明の実施の形態の例を示す。取付け金具１は図１に示すように、一枚の金属片を屈曲して形成したものであり、固定片２の両側端から段片９が前方に突設され、段片９の前端から側方に向って係止片３が突設されるものである。ここで、固定片２の背面２ａは係止片３の背面３ａよりも背方に突出して形成され、また、固定片２を前後方向に貫通するビス穴１０が複数穿設されている。また、このように取付け金具１は固定片２と係止片３とが同じ高さ位置に形成されていることから、取付け金具１は上下方向の長さを短く設定できるものである。
【００１１】
棚４は図１に示すように、箱状の形状を有するものである。上面には上方に開口を有した収納部１３を設けてあり、この収納部１３に物を載置するものである。
【００１２】
棚４の背面部４ａの上部には下方に開口した取付け溝部５を設けてある。棚４の背面部４ａの上端から背方に突出する上壁部５ｂを設け、上壁部５ｂの背端に背壁部５ａを下方垂直に延出し、棚４の両側面の背端から背方に突出する側壁部５ｃを設ける。上記の背壁部５ａ,上壁部５ｂ,側壁部５ｃ及び棚４の背面部４ａとの４者で囲まれて取付け溝部５が形成されるものである。取付け溝部５の前後方向の長さ（溝巾）Ｌ３は取付け金具１の係止片３の前後方向の厚さＬ４と略同じ長さに形成するものである。このとき、取付け溝部５の背壁部５ａの上下方向の長さＬ５は棚４の背面部４ａの上下方向の略半分の長さに形成されるものであり、また、上壁部５ｂは棚４の左右方向に亘るように、側壁部５ｃは棚４の上下方向に亘るように設けているものである。
【００１３】
取付け溝部５の背壁部５ａの左右方向の略中央部には背壁部５ａの下端部から上方に向けて背方に開口した切欠部６を形成してある。切欠部６の左右方向の長さＬ１は取付け金具１の固定片２の左右方向の長さＬ２と略同等の長さに形成するものである。
【００１４】
棚４の背面部４ａの下端部には板状の背方突部７を設ける。上記背方突部７は棚４の下面と面一に背方に向けて突設するものである。ここで、上述したように取付け溝部５の背壁部５ａの上下方向の長さＬ５が棚４の背面部４ａの上下方向の長さの半分ほどであるので、背方突部７と背壁部５ａとの問には隙間８ができるものである。この隙間８は取付け溝部５と連通しているものであり、また、上記隙間８は取付け金具１を背面から挿入し得る大きさに形成してあるものである。
【００１５】
以上のような棚４と取付け金具１は下記のように係合されて、棚４を壁面に取付けるものである。図３（ａ）に示すように、取付け金具１の固定片２に複数穿設されたビス穴１０にビス１１を挿入し、取付け金具１が固定片３を介して壁面と螺合固着する。このとき取付け金具１の係止片３と壁面との問には隙間１２が形成されるものである。この状態の取付け金具１に図３（ｂ）に示すように、棚４の取付け溝５を被覆させる。具体的にはまず、取付け金具１を隙間８に挿入する。次に上記の状態から棚４を取付け金具１に対して下方にスライドさせ、棚４の切欠部６に取付け金具１の固定片２を位置させると共に取付け溝部５の両側端に取付け金具１の係止片３を挿入する。この状態では図３（ｃ）に示すように、取付け金具１の係止片３は取付け溝部５の両側端で係止されるものであり、棚４は取付け金具１を介して壁面に取付けされるものである。また、取付け金具１の背壁部５ａは隙間１２に挿入されるものである。上記のように、取付け金具１及び棚４の取付け溝部５は寸法をあらかじめ合わせて別体に製造されるものであり、両側に係止片３を有する取付け金具１を壁面に固着するに当たって、中央部の固定片２を壁面に固着するだけで、両側の係止片３が壁面と隙間を形成するように正しい位置関係で壁面に取付けることができ、この結果、図４の従来例のように取付具としてねじ１１を壁面に寸法出しをしながら取付けするものに比べて施工作業を容易化させることができるものである。
【００１６】
上記のように壁面に取付けられた棚４は棚４の切欠部６の巾が取付け金具１の固定片２の巾と略同等の長さを有することより、棚４の切欠部６に取付け金具１の固定片２を位置させていることで、取付け金具１の固定片２が棚４の切欠部６に略嵌合した状態になり、棚４がガタつくことなく安定的に確実に壁に取り付けられているものである。また、棚４の背面部４ａの下端部に設けた背方突部７が取付け溝部５の下方の開口を塞ぐように位置していることより、下側から棚４を見ても取付け溝部５及び取付け金具１が見えないものであり、また、棚４に上方への衝撃力が働き、棚４が上方に突き上げられても、背方突部７が取付け金具１の下端に当たって引っ掛かり、棚４が抜け落ちることを防止するものである。
【００１７】
また、図１及び３に示すような本実施の形態の例では、棚４の切欠部６の巾が取付け金具１の固定片２の巾と略同等の長さを有するものであるが、取付け金具１の係止片３が棚４の取付け溝部５に係止できれば、棚４の切欠部６の巾が取付け金具１の固定片２の巾は略同等の長さでなくてもよいものである。
【００１８】
また、図１及び３に示すような本実施の形態の例では、背方突部７は棚４の背面部４ａに亘って設けられるものであるが、上記のように棚４の上方への抜け落ちを防止する意味においては、背方突部７は棚４の背面部４ａに部分的に設けられてもよいものである。
【００１９】
【発明の効果】
上記のように本発明の請求項１記載の棚の取付構造にあっては、固定片の両側端に係止部を連設して取付け金具を形成し、固定片の背面を係止部よりも背方に突出させ、棚の背面部に下方に開口する取付け溝部を設け、取付け溝部の背壁部の略中央部に下端部から上方に向けて切欠部を形成し、取付け金具の固定片の背面部を壁のような取付け面に当接して固着し、棚の取付け溝部の両側端に係止片を挿入係止し、固定片を切欠部に位置させて成るので、取付け金具は固定片と係止部とが同じ高さに位置すると共に棚も固定片を切欠部に位置させ壁面に固着する位置と同じ高さ位置で取付け金具と係止することから、取付け金具及び棚の上下方向の長さを図６の従来例に比べて短く設定できるものであり、棚の形状の自由度の幅が広がり、また、取付け金具及び棚の取付け溝部は寸法をあらかじめ合わせて別体に製造できて、両側に係止片を有する取付け金具を壁面に固着するに当たって、中央部の固定片を壁面に固着するだけで、両側の係止片が壁面と隙間を形成するように正しい位置関係で壁面に取付けることができ、この結果、図４の従来例のように取付具としてねじを壁面に寸法出しをしながら取付けするものに比べて施工作業を容易化させることができるものである。
【００２０】
また、本発明の請求項２記載の棚の取付構造は、請求項１の効果に加えて、切欠部の巾を固定片の巾と略同等の長さとして成るので、取付け金具の固定片が棚の切欠部に略嵌合した状態になり、取付け金具を棚にガタつくことなく係止させ、棚を安定的に壁面に取付けすることができるものである。
【００２１】
また、本発明の請求項３記載の棚の取付構造は、請求項１の効果に加えて、棚の背面部の下端部に背方突部を背方に向けて突設し、取付け溝部の下端と背方突部との間に隙間を形成し、上記隙間を取付け金具が背面から挿入し得る大きさに形成したので、棚の背面部の下端部に設けた背方突部が取付け溝部の下方への開口を塞ぐように位置していることより、下側から棚を見ても取付け溝部及び取付け金具を見えなくし外観をよくすることができ、また、棚に上方への衝撃力が働き、棚が上方に突き上げられても、背方突部が取付け金具に当たって引っ掛かり、棚が抜け落ちることを防止でき、棚の壁面への取付け状態を安定化させることができるものである。
【図面の簡単な説明】
【図１】本発明の実施の形態の例を示す分解斜視図である。
【図２】同上の下側から見た斜視図である。
【図３】同上の取付け作業状態を示すもので、（ａ）は取付け金具を壁面に取付けた状態を示す側面断面図であり、（ｂ）は取付け金具に棚を挿入した状態を示す側面断面図であり、（ｃ）は取付け金具を介して棚を壁面に取付けた状態を示す側面断面図である。
【図４】従来の例を示す分解斜視図である。
【図５】同上の取付け作業状態を示すもので、（ａ）は取付具を壁面に取付けた状態を示す斜視図であり、（ｂ）は取付具を介して棚を壁面に取付けた状態を示す斜視図であり、（ｃ）は（ｂ）の側面断面図である。
【図６】従来の他例を示す分解斜視図である。
【図７】同上の取付け作業状態を示すもので、（ａ）は取付具を壁面に取付けた状態を示す斜視図であり、（ｂ）は取付具を介して棚を壁面に取付けた状態を示す斜視図であり、（ｃ）は（ｂ）の側面断面図である。
【符号の説明】
１  取付け金具
２  固定片
３  係止片
４  棚
５  取付け溝部
６  切欠部
７  背方突部
８  隙間
【図１】
0004174938.tif 000002
【図２】
0004174938.tif 000003
【図３】
0004174938.tif 000004
【図４】
0004174938.tif 000005
【図５】
0004174938.tif 000006
【図６】
0004174938.tif 000007
【図７】
0004174938.tif 000008